(57)【要約】【課題】基地局によって管理されるエリアを設計する上で必要な情報を十分に収集することを可能とする移動局、エリア品質管理システム及びエリア品質管理方法を提供する。【解決手段】移動通信ネットワークに接続可能な移動局１０は、移動通信ネットワークに接続できない場合に、移動通信ネットワークに接続できない要因（接続不可能要因）を少なくとも含む通信状況情報を生成する通信状況情報生成部１２と、通信状況情報が生成された際における移動局の位置情報を取得する位置情報取得部１３と、通信状況情報と位置情報とを対応付けて記憶する記憶部１４とを備える。【選択図】図２
2008271141.tif 000002
【特許請求の範囲】
【請求項１】
移動通信ネットワークに接続可能な移動局であって、
前記移動通信ネットワークに接続できない要因を少なくとも含む通信状況情報を生成する生成部と、
前記生成部によって前記通信状況情報が生成された際における前記移動局の位置情報を取得する位置取得部と、
前記生成部によって生成された前記通信状況情報と、前記位置取得部によって取得された前記位置情報とを対応付けて記憶する記憶部とを備えることを特徴とする移動局。
【請求項２】
前記生成部によって前記通信状況情報が生成された際における時間帯情報を取得する時間取得部をさらに備え、
前記記憶部は、前記時間取得部によって取得された前記時間帯情報を前記通信状況情報及び前記位置情報と対応付けて記憶することを特徴とする請求項１に記載の移動局。
【請求項３】
前記移動通信ネットワークに含まれる基地局によって管理されるエリアの品質を管理するエリア品質管理装置に対して、前記移動通信ネットワークを介して前記記憶部に記憶された情報を送信する送信部をさらに備えることを特徴とする請求項１に記載の移動局。
【請求項４】
移動通信ネットワークに接続可能な移動局と、前記移動通信ネットワークに含まれる基地局によって管理されるエリアの品質を管理するエリア品質管理装置を含むエリア品質管理システムであって、
前記移動局は、
前記移動通信ネットワークに接続できない要因を少なくとも含む通信状況情報を生成する生成部と、
前記生成部によって前記通信状況情報が生成された際における前記移動局の位置情報を取得する位置取得部と、
前記生成部によって生成された前記通信状況情報と、前記位置取得部によって取得された前記位置情報とを対応付けて記憶する記憶部とを備え、
前記エリア品質管理装置は、
前記通信状況情報及び前記位置情報を前記移動局から前記移動通信ネットワークを介して受信する受信部と、
前記通信状況情報及び前記位置情報を用いて、前記基地局によって管理されるエリアの品質を管理する管理部とを備えることを特徴とするエリア品質管理システム。
【請求項５】
移動通信ネットワークに含まれる基地局によって管理されるエリアの品質を管理するエリア品質管理方法であって、
前記移動通信ネットワークに移動局が接続できない要因を少なくとも含む通信状況情報を生成するステップＡと、
前記ステップＡで前記通信状況情報が生成された際における前記移動局の位置情報を取得するステップＢと、
前記ステップＡで生成された前記通信状況情報と、前記ステップＢで取得された前記位置情報とを対応付けて記憶するステップＣと、
前記ステップＣで記憶された前記通信状況情報及び前記位置を用いて、前記基地局によって管理されるエリアの品質を管理するステップＤとを含むことを特徴とするエリア品質管理方法。
【発明の詳細な説明】
【技術分野】
【０００１】
本発明は、基地局によって管理されるエリアの品質を収集する移動局、エリア品質管理システム及びエリア品質管理方法に関する。
【背景技術】
【０００２】
従来、移動通信ネットワークにおいてエリア品質を管理する方法として、電波測定装置及びＧＰＳなどが搭載された測定車両を用いる方法が知られている。具体的には、測定車両は、電波測定装置によって測定された電波強度とＧＰＳによって測定された位置情報とを対応付けて記憶する。パーソナルコンピュータなどのエリア品質管理装置は、電波強度及び位置情報を用いて、地図上に電波強度をプロットすることによって、移動通信ネットワークにおけるエリア品質を管理する。
【０００３】
一方で、測定車両が進入可能なエリアは限られているため、測定車両が進入できないエリアでは、電波測定装置及びＧＰＳなどを所持するオペレータの歩行調査によって、電波強度及び位置情報が取得される。
【０００４】
例えば、受信レベルやビットエラー率の変化を測定する装置として移動局を用いる方法が提案されている。具体的には、移動局は、受信レベルやビットエラー率の変化（品質情報）を位置情報とともに、エリア品質管理装置に報告する（例えば、特許文献１）。
【特許文献１】特許第３３４４３６５号公報（請求項１、［００２４］、［００２５］など）
【発明の開示】
【発明が解決しようとする課題】
【０００５】
しかしながら、上述した従来技術では、移動通信ネットワークに移動局が接続可能であることを前提として、品質情報（受信レベルやビットエラー率の変化）を収集している。従って、上述した従来技術では、基地局によって管理されるエリアを設計する上で必要な情報を十分に収集することができていない。
【０００６】
具体的には、いつでもどこでも移動通信ネットワークに移動局が接続できる環境が望まれているため、移動通信ネットワークに移動局が接続できない時間帯や位置を把握することが重要である。
【０００７】
そこで、本発明は、上述した課題を解決するためになされたものであり、基地局によって管理されるエリアを設計する上で必要な情報を十分に収集することを可能とする移動局、エリア品質管理システム及びエリア品質管理方法を提供することを目的とする。
【課題を解決するための手段】
【０００８】
本発明の一の特徴では、移動通信ネットワークに接続可能な移動局は、前記移動通信ネットワークに接続できない要因を少なくとも含む通信状況情報を生成する生成部（通信状況情報生成部１２）と、前記生成部によって前記通信状況情報が生成された際における前記移動局の位置情報を取得する位置取得部（位置情報取得部１３）と、前記生成部によって生成された前記通信状況情報と、前記位置取得部によって取得された前記位置情報とを対応付けて記憶する記憶部（記憶部１４）とを備える。
【０００９】
かかる特徴によれば、移動通信ネットワークに接続できない要因を少なくとも含む通信状況情報を移動局が記憶する。すなわち、移動通信ネットワークに移動局が接続可能であることを前提として収集される品質情報（受信レベルやビットエラー率の変化）だけではなくて、移動通信ネットワークに移動局が接続できない要因を収集することができる。従って、基地局によって管理されるエリアを設計する上で必要な情報を十分に収集することができる。
【００１０】
本発明の上述した特徴において、前記生成部によって前記通信状況情報が生成された際における時間帯情報を取得する時間取得部をさらに備え、前記記憶部は、前記時間取得部によって取得された前記時間帯情報を前記通信状況情報及び前記位置情報と対応付けて記憶することが好ましい。
【００１１】
本発明の上述した特徴において、前記移動通信ネットワークに含まれる基地局によって管理されるエリアの品質を管理するエリア品質管理装置に対して、前記移動通信ネットワークを介して前記記憶部に記憶された情報を送信する送信部（通信部１５）をさらに備えることが好ましい。
【００１２】
本発明の一の特徴では、移動通信ネットワークに接続可能な移動局と、前記移動通信ネットワークに含まれる基地局によって管理されるエリアの品質を管理するエリア品質管理装置を含むエリア品質管理システムにおいて、前記移動局は、前記移動通信ネットワークに接続できない要因を少なくとも含む通信情報情報を生成する生成部（通信状況情報生成部１２）と、前記生成部によって前記通信情報情報が生成された際における前記移動局の位置情報を取得する位置取得部（位置情報取得部１３）と、前記生成部によって生成された前記通信状況情報と、前記位置取得部によって取得された前記位置情報とを対応付けて記憶する記憶部（記憶部１４）とを備え、前記エリア品質管理装置は、前記通信状況情報及び前記位置情報を前記移動局から前記移動通信ネットワークを介して受信する受信部（通信部５１）と、前記通信状況情報及び前記位置情報を用いて、前記基地局によって管理されるエリアの品質を管理する管理部（品質情報生成部５３）とを備える。
【００１３】
本発明の一の特徴では、移動通信ネットワークに含まれる基地局によって管理されるエリアの品質を管理するエリア品質管理方法は、前記移動通信ネットワークに移動局が接続できない要因を少なくとも含む通信状況情報を生成するステップＡと、前記ステップＡで前記通信状況情報が生成された際における前記移動局の位置情報を取得するステップＢと、前記ステップＡで生成された前記通信状況情報と、前記ステップＢで取得された前記位置情報とを対応付けて記憶するステップＣと、前記ステップＣで記憶された前記通信状況情報及び前記位置情報を用いて、前記基地局によって管理されるエリアの品質を管理するステップＤとを含む。
【発明の効果】
【００１４】
本発明によれば、基地局によって管理されるエリアを設計する上で必要な情報を十分に収集することを可能とする移動局、エリア品質管理システム及びエリア品質管理方法を提供することができる。
【発明を実施するための最良の形態】
【００１５】
以下において、本発明の実施形態に係るエリア品質管理システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［第１実施形態］
（エリア品質管理システムの構成）
以下において、第１実施形態に係るエリア品質管理システムの構成について、図面を参照しながら説明する。図１は、第１実施形態に係るエリア品質管理システムの構成を示す概略図である。
【００１８】
図１に示すように、エリア品質管理システムは、移動局１０と、複数の基地局２０（基地局２０ａ及び基地局２０ｂ）と、基地局制御装置３０と、コアネットワーク４０と、エリア品質管理サーバ５０とを有する。
【００１９】
移動局１０は、各基地局２０によって管理されるエリア間を移動する。移動局１０は、移動局１０と移動通信ネットワーク（基地局２０）との間における通信状況を監視する。また、移動局１０は、通信状況を示す通信状況情報を生成して、通信状況情報を移動通信ネットワーク（基地局２０）に送信する。
【００２０】
通信状況は、移動局１０が移動通信ネットワークに接続可能な状態において、移動局１０が在圏するエリア（以下、在圏エリア）に設けられた基地局２０から受信する信号の受信強度、在圏エリアに隣接するエリア（以下、隣接エリア）に設けられた基地局２０から受信する信号の受信強度（干渉量）などである。
【００２１】
通信状況は、移動局１０が移動通信ネットワークに接続不可能な状態において、移動局１０が移動通信ネットワークに接続できない要因（以下、接続不可要因）などである。接続不可要因は、移動局１０が複数の基地局２０間でハンドオーバを行った際にハンドオーバに失敗したこと、移動局１０が発着信を行った際にネットワークエラーが発生したこと、移動局１０が発着信を行った際に基地局２０から受信する電波が弱すぎたことなどである。
【００２２】
なお、移動局１０の詳細については後述する（図２を参照）。
【００２３】
基地局２０は、エリア（エリア内に在圏する移動局１０）を管理する。例えば、基地局２０ａは、エリア１（エリア１内に在圏する移動局１０）を管理する。一方で、基地局２０ｂは、エリア２（エリア２内に在圏する移動局１０）を管理する。
【００２４】
基地局制御装置３０は、複数の基地局２０を管理する。また、基地局制御装置３０は、基地局２０によって管理される移動局１０を管理する。例えば、基地局制御装置３０は、基地局制御装置３０と移動局１０との間で行われる通信において、移動局１０に割り当てる無線リソースなどを制御する。
【００２５】
コアネットワーク４０は、回線交換機（ＭＳＣ）やパケット交換機（ＳＧＳＮ）などを含む。コアネットワーク４０には、基地局制御装置３０が接続される。
【００２６】
なお、基地局２０、基地局制御装置３０及びコアネットワーク４０は、移動通信ネットワークを構成することに留意すべきである。
【００２７】
エリア品質管理サーバ５０は、コアネットワーク４０に接続されており、基地局２０によって管理されるエリアの品質を管理する。具体的には、エリア品質管理サーバ５０は、移動通信ネットワークを介して通信状況情報を移動局１０から受信する。エリア品質管理サーバ５０は、移動局１０から受信する通信状況情報に基づいて、基地局２０によって管理されるエリアの品質を管理する。
【００２８】
なお、エリア品質管理サーバ５０の詳細については後述する（図３を参照）。
【００２９】
（移動局の構成）
以下において、第１実施形態に係る移動局の構成について、図面を参照しながら説明する。図２は、第１実施形態に係る移動局１０の構成を示すブロック図である。
【００３０】
図２に示すように、移動局１０は、トリガ検出部１１と、通信状況情報生成部１２と、位置情報取得部１３と、記憶部１４と、通信部１５とを有する。
【００３１】
トリガ検出部１１は、通信状況情報の生成を開始するトリガを検出する。トリガは、通信状況情報を生成してから一定時間が経過すること、在圏エリアに設けられた基地局２０から受信する信号（報知信号など）の受信強度が一定強度以下となること、複数の基地局２０間でハンドオーバが行われること、移動局１０が発着信を行うことなどである。
【００３２】
通信状況情報生成部１２は、トリガ検出部１１によってトリガが検出されると、通信状況情報を生成する。
【００３３】
通信状況情報は、移動局１０が移動通信ネットワークに接続可能な状態において、在圏エリアに設けられた基地局２０から受信する信号の受信強度、隣接エリアに設けられた基地局２０から受信する信号の受信強度（干渉量）、ＳＩＲ（Ｓｉｇｎａｌ  ｔｏ  Ｉｎｔｅｒｆｅｒｅｎｃｅ  Ｒａｔｉｏ）、ＳＩＮＲ（Ｓｉｇｎａｌ  ｔｏ  Ｎｏｉｓｅ  ａｎｄ  Ｉｎｔｅｒｆｅｒｅｎｃｅ  Ｒａｔｉｏ）、ＢＥＲ（Ｂｉｔ  Ｅｒｒｏｒ  Ｒａｔｅ）、ＢＬＥＲ（Ｂｌｏｃｋ  Ｅｒｒｏｒ  Ｒａｔｅ）などである。
【００３４】
通信状況情報は、移動局１０が移動通信ネットワークに接続不可能な状態において、移動局１０が移動通信ネットワークに接続できない要因（接続不可要因）などである。接続不可要因は、移動局１０が複数の基地局２０間でハンドオーバを行った際にハンドオーバに失敗したこと、移動局１０が発着信を行った際にネットワークエラーが発生したこと、移動局１０が発着信を行った際に基地局２０から受信する電波が弱すぎたことなどである。
【００３５】
位置情報取得部１３は、トリガ検出部１１によってトリガが検出されると、移動局１０の位置情報を取得する。例えば、位置情報取得部１３は、ＧＰＳ機能を有しており、ＧＰＳ機能によって位置情報を取得する。なお、位置情報取得部１３は、在圏エリアに設けられた基地局２０の識別子を位置情報として取得してもよい。
【００３６】
記憶部１４は、通信状況情報生成部１２によって生成された通信状況情報と位置情報取得部１３によって取得された位置情報とを対応付けて記憶する。記憶部１４は、移動局１０が移動通信ネットワークに接続不可能な状態においてのみ、通信状況情報と位置情報とを対応付けて記憶してもよい。
【００３７】
通信部１５は、通信状況情報生成部１２によって生成された通信状況情報及び位置情報取得部１３によって取得された位置情報を基地局２０に送信する。具体的には、通信部１５は、移動局１０が移動通信ネットワークに接続可能な状態であれば、トリガ検出部１１によってトリガが検出された際に通信状況情報及び位置情報を基地局２０に送信する。
【００３８】
一方で、通信部１５は、移動局１０が移動通信ネットワークに接続不可能な状態であれば、移動局１０が移動通信ネットワークに接続可能な状態となるまで待って、記憶部１４に記憶された通信状況情報及び位置情報を基地局２０に送信する。
【００３９】
（エリア品質管理装置の構成）
以下において、第１実施形態に係るエリア品質管理装置の構成について、図面を参照しながら説明する。図３は、第１実施形態に係るエリア品質管理サーバ５０の構成を示すブロック図である。
【００４０】
図３に示すように、エリア品質管理サーバ５０は、通信部５１と、記憶部５２と、品質情報生成部５３とを有する。
【００４１】
通信部５１は、移動通信ネットワークを介して通信状況情報及び位置情報を移動局１０から受信する。
【００４２】
記憶部５２は、移動局１０から受信した通信状況情報及び位置情報を記憶する。
【００４３】
品質情報生成部５３は、記憶部５２に記憶された通信状況情報及び位置情報に基づいて、基地局２０によって管理されるエリアの品質を示すエリア品質情報を生成する。具体的には、品質情報生成部５３は、位置情報によって特定される各位置を地図上で特定し、特定された地図上における各位置に各通信状況情報をプロットする。すなわち、エリア品質情報は、地図上において各位置にプロットされた通信状況情報などである。
【００４４】
ここで、エリア品質管理サーバ５０によって管理されるエリア品質情報、すなわち、地図上において各位置にプロットされた通信状況情報は、基地局２０によって管理されるエリアの設計に用いられる。例えば、エリア品質情報は、新たな基地局２０を設置すべき位置、新たな基地局２０の能力（最大送信電力など）、既存の基地局２０の能力（最大送信電力など）を決定するために用いられる。
【００４５】
（エリア品質管理システムの動作）
以下において、第１実施形態に係るエリア品質管理システムの動作について、図面を参照しながら説明する。図４は、第１実施形態に係るエリア品質管理システムの動作を示すシーケンス図である。図４では、移動局１０が移動通信ネットワークに接続不可能な状態から移動局１０が移動通信ネットワークに接続可能な状態に遷移するケースを例に挙げて説明する。
【００４６】
図４に示すように、ステップ１０１において、移動局１０は、通信状況情報の生成を開始するトリガを検出する。
【００４７】
ステップ１０２において、移動局１０は、通信状況情報を生成する。なお、上述したように、通信状況情報は、移動局１０が移動通信ネットワークに接続できなかった要因を含むことに留意すべきである。続いて、移動局１０は、移動局１０の位置情報を取得する。また、移動局１０は、少なくとも移動局１０が移動通信ネットワークに接続可能な状態となるまで、通信状況情報と位置情報とを対応付けて記憶する。
【００４８】
ステップ１０３において、移動局１０は、移動局１０が移動通信ネットワークに接続可能な状態となるまで待って、通信状況情報及び位置情報を移動通信ネットワークに送信する。
【００４９】
ステップ１０４において、移動通信ネットワークは、通信状況情報及び位置情報を移動局１０から取得する。
【００５０】
ステップ１０５において、移動通信ネットワークは、通信状況情報及び位置情報をエリア品質管理サーバ５０に送信する。
【００５１】
ステップ１０６において、エリア品質管理サーバ５０は、移動通信ネットワークを介して受信した通信状況情報及び位置情報を記憶する。
【００５２】
なお、エリア品質情報を生成する上で十分な通信状況情報が収集されるまで、ステップ１０１〜ステップ１０６の処理が繰り返されることに留意すべきである。
【００５３】
ステップ１０７において、エリア品質管理サーバ５０は、ステップ１０６で記憶された通信状況情報及び位置情報に基づいてエリア品質情報を生成する。具体的には、エリア品質管理サーバ５０は、位置情報によって特定される各位置を地図上で特定し、特定された地図上における各位置に各通信状況情報をプロットする。
【００５４】
（作用及び効果）
第１実施形態に係るエリア品質管理システムによれば、移動通信ネットワークに接続できない要因を少なくとも含む通信状況情報を移動局１０が記憶する。すなわち、移動通信ネットワークに移動局１０が接続可能であることを前提として収集される品質情報（信号強度や干渉量）だけではなくて、移動通信ネットワークに移動局１０が接続できない要因（接続不可能要因）を収集することができる。
【００５５】
従って、移動通信ネットワークに移動局がどこでも接続できる環境をユーザに提供するために、基地局によって管理されるエリアを設計する上で必要な情報を十分に収集することができる。
【００５６】
第１実施形態に係るエリア品質管理システムによれば、移動局１０が移動通信ネットワークを介して通信状況情報をエリア品質管理サーバ５０に送信するため、通信状況情報の収集が容易である。
【００５７】
［第２実施形態］
以下において、第２実施形態について図面を参照しながら説明する。以下においては、上述した第１実施形態と第２実施形態との相違点について主として説明する。
【００５８】
具体的には、上述した第１実施形態では、通信状況情報及び位置情報を用いてエリア品質情報が生成される。これに対して、第２実施形態では、通信状況情報及び位置情報に加えて、時間帯情報を用いてエリア品質情報が生成される。
【００５９】
（移動局の構成）
以下において、第２実施形態に係る移動局の構成について、図面を参照しながら説明する。図５は、第２実施形態に係る移動局１０の構成を示すブロック図である。なお、図５では、図２と同様の構成について同様の符号を付していることに留意すべきである。
【００６０】
図５に示すように、移動局１０は、図２に示した構成に加えて、時間帯情報取得部１６を有する。
【００６１】
時間帯情報取得部１６は、トリガ検出部１１によってトリガが検出されると、トリガ検出部１１によってトリガが検出された時間帯を示す時間帯情報を取得する。例えば、時間帯情報取得部１６は、時計機能を有しており、時計機能によって時間帯情報を取得する。
【００６２】
記憶部１４は、時間帯情報取得部１６によって取得された時間帯情報と通信状況情報及び位置情報とを対応付けて記憶する。
【００６３】
通信部１５は、通信状況情報及び位置情報に加えて、時間帯情報取得部１６によって取得された時間帯情報を基地局２０に送信する。
【００６４】
なお、エリア品質管理サーバ５０は、通信状況情報及び位置情報に加えて、移動通信ネットワークを介して時間帯情報を移動局１０から受信する。エリア品質管理サーバ５０は、時間帯毎にエリア品質情報を生成する。
【００６５】
ここで、時間帯毎に生成されたエリア品質情報は、各時間帯における基地局２０の能力（最大送信電力など）を決定するために用いられる。
【００６６】
（作用及び効果）
第２実施形態に係るエリア品質管理システムによれば、通信状況情報及び位置情報に加えて、時間帯情報を移動局１０が記憶する。従って、各時間帯毎にエリア品質情報を生成することが可能となる。
【００６７】
従って、いつでもどこでも移動通信ネットワークに移動局が接続できる環境をユーザに提供するために、基地局によって管理されるエリアを設計する上で必要な情報を十分に収集することができる。
【００６８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６９】
上述した実施形態では、エリア品質管理サーバ５０は、移動通信ネットワークを介して各種情報を移動局から受信するが、これに限定されるものではない。エリア品質管理サーバ５０は、移動通信ネットワークとは異なる経路で移動局に記憶された各種情報を取得してもよい。
【図面の簡単な説明】
【００７０】
【図１】第１実施形態に係るエリア品質管理システムの構成を示す概略図である。
【図２】第１実施形態に係る移動局１０の構成を示すブロック図である。
【図３】第１実施形態に係るエリア品質管理サーバ５０の構成を示すブロック図である。
【図４】第１実施形態に係るエリア品質管理システムの動作を示すシーケンス図である。
【図５】第２実施形態に係る移動局１０の構成を示すブロック図である。
【符号の説明】
【００７１】
１０・・・移動局、１１・・・トリガ検出部、１２・・・通信状況情報生成部、１３・・・位置情報取得部、１４・・・記憶部、１５・・・通信部、１６・・・時間帯情報取得部、２０・・・基地局、３０・・・基地局制御装置、４０・・・コアネットワーク、５０・・・エリア品質管理サーバ、５１・・・通信部、５２・・・記憶部、５３・・・品質情報生成部
【図１】
2008271141.tif 000003
【図２】
2008271141.tif 000004
【図３】
2008271141.tif 000005
【図４】
2008271141.tif 000006
【図５】
2008271141.tif 000007